(57)【特許請求の範囲】
【請求項１】
遊技球が流下する遊技領域を有する遊技盤と、前記遊技盤に配設されて遊技に係わる演出画像を表示可能な演出表示装置と、この演出表示装置の側方に配置された可動役物装置とを備えた弾球遊技機において、
前記可動役物装置が、ガイド部材に沿って左右方向へ移動可能に支持されたスライド体と、このスライド体の上端側に回転可能に連結された長尺状の可動体と、駆動突起を有する回転体と、この回転体を正逆両方向へ回転駆動するモータとを備え、
前記スライド体に上下方向へ延びて下端側を開放した第１のガイド孔が形成されていると共に、前記可動体の下端部にくの字状に屈曲した第２のガイド孔が形成されており、この第２のガイド孔は、前記第１のガイド孔にオーバーラップして長手方向へ延びる上側孔部と、この上側孔部の下端部から斜め下方へ延びる下側孔部とを有しており、
前記回転体の回転に伴って前記駆動突起がオーバーラップ状態の前記第１のガイド孔と前記上側孔部内を移動することにより、前記スライド体と前記可動体とが前記ガイド部材に沿って前記演出表示装置の前方へ一体的に出入動作し、前記ガイド部材の一端部で前記駆動突起が前記第１のガイド孔から外れて前記下側孔部内を移動することにより、前記可動体が前記演出表示装置の前方で前記スライド体を回動支点として傾倒動作するようにしたことを特徴とする弾球遊技機。
【請求項２】
請求項１の記載において、前記第１のガイド孔の下端側が前記駆動突起の回動軌跡に沿って円弧状に湾曲していることを特徴とする弾球遊技機。
【請求項３】
請求項１または２の記載において、前記可動役物装置が前記演出表示装置の左右両側にそれぞれ配設されており、これら可動役物装置に備えられる左右一対の前記可動体を前後方向へずらして配置したことを特徴とする弾球遊技機。
【発明の詳細な説明】
【技術分野】
【０００１】
本発明は、パチンコ店などの遊技場に設置して使用される弾球遊技機に係り、特に、電子抽選の結果を遊技者に示唆または報知することができる可動役物装置を備えた弾球遊技機に関するものである。
【背景技術】
【０００２】
パチンコ機に代表される弾球遊技機の中には、遊技盤の遊技領域に演出表示装置や始動入賞口を設け、遊技領域に向けて発射された遊技球が始動入賞口に入賞したことを契機に電子抽選を行い、その抽選結果に基づいて演出表示装置が図柄の変動表示および停止表示を行うようにした機種が存在する。電子抽選の抽選結果には当たり（当選）とハズレ（非当選）があり、抽選結果が当たりの場合には、演出表示装置の表示画面に所定の特別図柄の組み合わせが表示され、遊技球状態が通常モードから特別遊技モードへと移行する。この特別遊技モードでは、例えばアタッカーを開放動作することによって露呈された大入賞口に遊技球が入るので、遊技者は数多くの賞球を獲得することができる。
【０００３】
このような弾球遊技機において、遊技領域の中央部に配設された装飾ケースの開口内に演出表示装置の表示画面を露出させると共に、各種キャラクタ等を模した可動体を装飾ケースの所定位置に配置し、電子抽選で当選していることを可動体の可動態様によって遊技者に示唆または報知するようにした可動役物装置が広く採用されており、その一例として、刀を模した長尺状の可動体を開口の側方の装飾ケース内に配置し、この可動体を下端側の軸部を中心に回転動作して演出表示装置の前方へ出入させるようにした可動役物装置が知られている（例えば、特許文献１参照）。かかる可動役物装置では、可動体の軸部に長孔を有するレバーが取り付けられていると共に、モータを駆動源として回転する回転板の外縁部に駆動ピンが設けられており、この駆動ピンはレバーの長孔に摺動可能に挿入されている。これにより、回転板の回転に伴って駆動ピンが長孔内を移動すると、レバーと可動体が下端側の軸部を中心に一体的に回転するため、長尺状の可動体が開口の側方から演出表示装置の前方へ出現した後、演出表示装置の前方を傾倒移動するという可動演出を行うことができる。
【先行技術文献】
【特許文献】
【０００４】
【特許文献１】特開２００７−１９５８０４号公報
【発明の概要】
【発明が解決しようとする課題】
【０００５】
ところで、前述した従来の可動役物装置のように、下端側に回動支点を有する可動体が装飾ケースの開口内を傾倒移動して表示画面の前方に出入するものにおいては、装飾ケースの裏面側に隠れていた可動体が開口から出現して表示画面の前方を傾倒移動する際に、可動体の上端部を表示画面の上辺からはみ出して装飾ケースの上壁裏側を通過させるようにすると、恰も開口よりも長寸な可動体が表示画面の前方を傾倒移動しているように見えるため、遊技者に強いインパクトを与えることができる。しかしながら、近年、演出表示装置の表示画面は大型化する傾向にあり、それに伴って表示画面を包囲する装飾ケースの開口も大きくなっており、このような状況下で可動体にインパクトのある傾倒動作を行わせようとすると、可動体の全長を開口の対角線よりも長寸にする必要があるため、可動体と周辺部材との干渉を避けるために必要なデッドスペースが増加したり、可動体を傾倒動作させる駆動機構が大型化する等の問題が発生する。
【０００６】
本発明は、このような従来技術の実情に鑑みてなされたもので、その目的は、長尺状の可動体を演出表示装置の前方で平行移動と傾倒移動させてインパクトのある可動演出を行うことができる弾球遊技機を提供することにある。
【課題を解決するための手段】
【０００７】
上記の目的を達成するために、本発明は、遊技球が流下する遊技領域を有する遊技盤と、前記遊技盤に配設されて遊技に係わる演出画像を表示可能な演出表示装置と、この演出表示装置の側方に配置された可動役物装置とを備えた弾球遊技機において、前記可動役物装置が、ガイド部材に沿って左右方向へ移動可能に支持されたスライド体と、このスライド体の上端側に回転可能に連結された長尺状の可動体と、駆動突起を有する回転体と、この回転体を正逆両方向へ回転駆動するモータとを備え、前記スライド体に上下方向へ延びて下端側を開放した第１のガイド孔が形成されていると共に、前記可動体の下端部にくの字状に屈曲した第２のガイド孔が形成されており、この第２のガイド孔は、前記第１のガイド孔にオーバーラップして長手方向へ延びる上側孔部と、この上側孔部の下端部から斜め下方へ延びる下側孔部とを有しており、前記回転体の回転に伴って前記駆動突起がオーバーラップ状態の前記第１のガイド孔と前記上側孔部内を移動することにより、前記スライド体と前記可動体とが前記ガイド部材に沿って前記演出表示装置の前方へ一体的に出入動作し、前記ガイド部材の一端部で前記駆動突起が前記第１のガイド孔から外れて前記下側孔部内を移動することにより、前記可動体が前記演出表示装置の前方で前記スライド体を回動支点として傾倒動作するようにした。
【０００８】
このように構成された弾球遊技機では、回転体が初期位置で停止しているとき、スライド体に形成された第１のガイド孔と可動体に形成された第２のガイド孔の上側孔部とはオーバーラップしており、これら第１のガイド孔と上側孔部に回転体の駆動突起が係合することにより、長尺状の可動体は演出表示装置の側方の退去位置で起立姿勢に保持されている。この状態で回転体が正逆いずれか一方向へ回転すると、駆動突起が第１のガイド孔と上側孔部内を移動することにより、回転体の回転運動がスライド体と可動体の直線運動に変換され、可動体は起立姿勢を保ったままスライド体と一緒に演出表示装置の前方に向かって平行移動する。そして、回転体のさらなる回転によって駆動突起が第１のガイド孔の下端側から外れると、スライド体はガイド部材の一端部で停止した状態に保持されるが、駆動突起が第２のガイド孔の上側孔部を経て下側孔部内を移動するため、可動体はスライド体を回動支点として演出表示装置の前方で傾倒移動した後、モータの停止によって所定角度の傾斜姿勢に保たれる。なお、この状態で回転体が他方向へ回転すると、まず駆動突起が第２のガイド孔の下側孔部内を移動し、この間で可動体が上記と逆向きに傾倒移動して起立姿勢に戻った後、駆動突起が再び第１のガイド孔に入って第１のガイド孔と上側孔部内を移動するため、可動体は起立姿勢を保ったままスライド体と一緒に演出表示装置の側方の退去位置まで平行移動する。
【０００９】
このように本発明の弾球遊技機によれば、演出表示装置の側方に配置された長尺状の可動体を起立姿勢のまま演出表示装置の前方まで平行移動させた後、この前方位置で起立姿勢から所定角度の傾斜姿勢へと傾倒動作させることができるため、可動体の全長を著しく大きくしなくても、可動体の上端部を表示画面の上辺からはみ出した状態で傾倒移動させるというインパクトのある可動演出を行うことができ、しかも、かかる可動体の平行移動と傾倒移動が１つのモータを駆動源とする駆動機構によって連続的に行われるため、可動役物装置の駆動機構を簡素化してコストの低減化を図ることができる。
【００１０】
上記の構成において、第１のガイド孔の下端側が駆動突起の回動軌跡に沿って円弧状に湾曲していると、駆動突起を第１のガイド孔に対してスムーズに出入させることができるため、可動体の平行移動と傾倒移動の切り換え動作が円滑になって好ましい。
【００１１】
また、上記の構成において、可動役物装置が演出表示装置の左右両側にそれぞれ配設されており、これら可動役物装置に備えられる左右一対の可動体を前後方向へずらして配置すると、一対の可動体を演出表示装置の左右両側から互いに逆向きに平行移動させた後、これら両可動体を演出表示装置の前方でＸ状に交叉させるというダイナミックでインパクトのある可動演出を行うことができて好ましい。
【発明の効果】
【００１２】
本発明の弾球遊技機では、演出表示装置の側方に配置された可動役物装置が、ガイド部材に沿って左右方向へ移動可能に支持されたスライド体と、このスライド体の上端側に回転可能に連結された長尺状の可動体と、駆動突起を有する回転体と、この回転体を正逆両方向へ回転駆動するモータとを備え、スライド体に上下方向へ延びて下端側を開放した第１のガイド孔が形成されていると共に、可動体の下端部にくの字状に屈曲した第２のガイド孔が形成されており、この第２のガイド孔が、第１のガイド孔にオーバーラップして長手方向へ延びる上側孔部と、この上側孔部の下端部から斜め下方へ延びる下側孔部とを有しているため、長尺状の可動体を起立姿勢のまま演出表示装置の前方まで平行移動させた後、この可動体を演出表示装置の前方位置で起立姿勢から所定角度の傾斜姿勢へと傾倒動作させることができる。したがって、可動体の全長を著しく大きくしなくても、可動体の上端部を表示画面の上辺からはみ出した状態で傾倒移動させるというインパクトのある可動演出を行うことができ、しかも、かかる可動体の平行移動と傾倒移動が１つのモータを駆動源とする駆動機構によって連続的に行われるため、可動役物装置の駆動機構を簡素化してコストの低減化を図ることができる。
【図面の簡単な説明】
【００１３】
【図１】本発明の実施形態例に係る弾球遊技機の外観斜視図である。
【図２】図１に示す弾球遊技機の背面図である。
【図３】図１の弾球遊技機に備えられる遊技盤の正面図である。
【図４】図１の弾球遊技機に備えられる可動役物装置の初期状態を示す説明図である。
【図５】該可動体が演出表示装置の前方に平行移動した状態を示す説明図である。
【図６】該可動体が演出表示装置の前方で傾倒移動している途中状態を示す説明図である。
【図７】該可動体が最大角度に傾倒移動した状態を示す説明図である。
【図８】該可動体が最大角度に傾倒移動したときの遊技盤の正面図である。
【発明を実施するための形態】
【００１４】
図１に示すように、本発明の実施形態例に係る弾球遊技機（パチンコ機）は、遊技場の島設備に設置される縦長方形状の機枠１と、機枠１に扉状に開閉自在に取り付けられた本体枠２と、本体枠２の内側に収容された後述する遊技盤３と、本体枠２の前面に開閉自在に取り付けられたガラス扉４と、ガラス扉４の下側で本体枠２の前面に開閉自在に取り付けられた前面ボード５と、前面ボード５の右下隅部に取り付けられた発射ハンドル６等を具備しており、前面ボード５には遊技球を収容する受皿７が設けられている。ガラス扉４の中央部には透明なガラス板８が取り付けられており、遊技盤３の前面はこのガラス板８を通して外部から目視可能となっている。また、ガラス扉４の上部にはスピーカ９が左右に１個ずつ取り付けられており、これらスピーカ９から遊技に関する様々な効果音を発するようになっている。
【００１５】
図２に示すように、遊技盤３は本体枠２の背面側に露出しており、この遊技盤３には、主制御処理部１０、特別図柄表示制御部１１、普通図柄表示制御部１２、演出制御処理部１３、ランプ制御処理部１４、音声制御処理部１５等が設けられている。その他、本体枠２の背面側には、支払制御処理部１６、発射制御処理部１７、賞球支払装置１８等が設けられており、これらは遊技盤３を包囲する適宜位置に配置されている。
【００１６】
図３に示すように、遊技盤３の前面（盤面）はガイドレール１９等によって略円形状に区画され遊技領域２０となっており、発射ハンドル６が遊技者によって任意角度に回転操作されると、図示せぬ発射装置が受皿７に保留された遊技球を遊技領域２０に向けて連続的に打ち出すようになっている。遊技領域２０の上部中央付近には中央役物ユニット２１が配設されており、この中央役物ユニット２１は、中央部に矩形状の開口２２ａを有する装飾ケース２２と、装飾ケース２２の左右両側壁の裏側に配設された後述する可動役物装置２３とを具備している。また、中央役物ユニット２１の裏面側には液晶パネル（ＬＣＤ）からなる演出表示装置２４が配設されており、この演出表示装置２４の表示画面２４ａは装飾ケース２２の開口２２ａから露出している。
【００１７】
装飾ケース２２の真下の遊技領域２０には上面に入賞孔を有する単純構造の第１始動入賞口２５が配設されており、装飾ケース２２の右側の遊技領域２０には可動片を有する電動チューリップ構造の第２始動入賞口２６が配設されている。そして、これら始動入賞口２５，２６のいずれか一方に遊技球が入賞すると、それを契機として特別図柄に係る電子抽選が行われ、その抽選結果に基づいて演出表示装置２４の表示画面２４ａ上で演出用図柄の変動表示および停止表示が行われる。また、第２始動入賞口２６の上方の遊技領域２０には通過チャッカー２７が配設されており、遊技球がこの通過チャッカー２７を通過すると、それを契機として普通図柄に係る電子抽選が行われ、その抽選結果が当たりの場合に第２始動入賞口２６の可動片を一時的に駆動して遊技球の入賞を許可するようになっている。
【００１８】
さらに、第１始動入賞口２５の右側方の遊技領域２０にはアタッカー２８が配設されており、このアタッカー２８によって内部の大入賞口（図示せず）が覆われている。アタッカー２８は、第１および第２始動入賞口２５，２６のいずれか一方に遊技球が入賞することを契機に行われる特別図柄に係る電子抽選の結果、当たりとなって大当たり遊技状態（特別遊技モード）へ移行した場合に作動される装置である。具体的には、特別図柄の抽選結果が大当たりの場合、演出表示装置２４の表示画面２４ａ上に演出用図柄の変動表示を例えば「７７７」のように特定図柄で停止させると共に、アタッカー２８の開閉扉が複数回繰り返し開放動作して大入賞口を露呈させる。アタッカー２８は１回の開放動作について例えば３０秒経過するまで、あるいは遊技球が大入賞口に例えば１０個入賞するまで開放状態を維持し、かかる開放動作を例えば１５回繰り返した後に大当たりが終了する。その他、遊技領域２０内には、遊技球の流下経路を担う遊技釘２９と風車３０や、遊技球の払い出しのみを行う複数の一般入賞口３１等が配設されており、いずれの始動入賞口２５，２６や一般入賞口３１にも入賞しなかった遊技球は、遊技領域２０の最下端部に設けられたアウト口３２から遊技盤１９の裏面側に排出されるようになっている。
【００１９】
可動役物装置２３は前述した特別図柄に係る電子抽選の結果を可動体（役物）の可動態様によって遊技者に示唆することができる装置であり、前述したように、可動役物装置２３は装飾ケース２２の左側壁と右側壁の裏側にそれぞれ配設されている。これら一対の可動役物装置２３は表示画面２４ａの中心を通る垂線に関して対称位置に配置されているが、基本的な構成は同一であるため、以下、左側の可動役物装置２３の構成について詳細に説明する。図５〜図７に示すように、この可動役物装置２３は、装飾ケース２２の内部にねじ止め等によって固定されたベース部材３３と、ベース部材３３の上端に架設されたガイドシャフト３４に沿って左右方向（Ｘ１−Ｘ２方向）へ移動可能に支持されたスライド体３５と、このスライド体３５の上端側に回転可能に連結された可動体３６と、モータ３７を駆動源として正逆両方向へ回転する回転アーム３８とによって主に構成されている。
【００２０】
ベース部材３３は内部に収納空間Ｓを有する構造体であり、収納空間Ｓの前方は図示せぬ前面板によって蓋閉されている。ガイド部材であるガイドシャフト３４は収納空間Ｓの上部開口に沿って配設されており、このガイドシャフト３４に摺動可能に支持されたスライド体３５の下側部分は収納空間Ｓ内に位置している。スライド体３５の下側部分には下端側を開放した第１のガイド孔３５ａが形成されており、この第１のガイド孔３５ａの大部分は上下方向に沿って直線状に延びているが、下端側の開放端だけは円弧状に湾曲している。スライド体３５の上側部分は収納空間Ｓから上方に突出しており、このスライド体３５の上端部には軸部３９を介して可動体３６が回転可能に支持されている。可動体３６は日本刀を模した長尺状の部材であり、光透過性のプラスチックによって成形されている。図示省略されているが、可動体３６の内部には複数のＬＥＤを実装した回路基板が収納されており、これらＬＥＤの光によって可動体３６は照光可能となっている。可動体３６の下側部分はくの字状に屈曲して収納空間Ｓ内に位置しており、この下側部分にはその外形に沿ってくの字状に屈曲した第２のガイド孔４０が形成されている。第２のガイド孔４０は上側孔部４０ａと下側孔部４０ｂとからなり、上側孔部４０ａは可動体３６の長軸方向に沿って延びているが、下側孔部４０ｂは可動体３６の長軸と交叉する方向に沿って延びている。そして、可動体３６の大部分が上下方向に沿って延びて起立姿勢にあるとき（図４と図５参照）、第２のガイド孔４０の上側孔部４０ａはスライド体３５に形成された第１のガイド孔３５ａの直線状部分にオーバーラップしており、第２のガイド孔４０の下側孔部４０ｂは上側孔部４０ａの下端部から斜め下方へ延びてスライド体３５から突出している。
【００２１】
モータ３７はベース部材３３の前面板に取り付けられており、この前面板にはフォトインタラプタからなる検出センサ４１も取り付けられている。回転体である回転アーム３８はモータ３７の出力軸に固着されて収納空間Ｓ内に位置しており、全体的に二股状に形成されている。回転アーム３８の一方の腕部の先端には駆動突起３８ａが設けられており、この駆動突起３８ａはスライド体３５の第１のガイド孔３５ａと可動体３６の第２のガイド孔４０に挿入されている。駆動突起３８ａは回転アーム３８の回転に伴って図５〜図７の２点鎖線で示す仮想円（回動軌跡）上を移動し、前述した第１のガイド孔３５ａの開放端は駆動突起３８ａの回動軌跡に沿って円弧状に湾曲している。そして、回転アーム３８の回転に伴って駆動突起３８ａが回動軌跡上を移動する間に、駆動突起３８ａが第１のガイド孔３５ａと第２のガイド孔４０の上側孔部４０ａ内を移動することにより、回転アーム３８の回転運動がスライド体３５と可動体３６の直線運動に変換され、スライド体３５と可動体３６がガイドシャフト３４に沿って左右方向へ移動する。また、駆動突起３８ａが第１のガイド孔３５ａから外れて第２のガイド孔４０の下側孔部４０ｂ内を移動することにより、可動体３６がスライド体３５の上端部の軸部３９を回動支点として回転（傾倒）する。なお、回転アーム３８の他方の腕部の先端には検知突起３８ｂが設けられており、この検知突起３８ｂは回転アーム３８の回転に伴って検出センサ４１の光路を横切る円弧上を移動する。
【００２２】
装飾ケース２２の右側壁の裏側に配設された可動役物装置２３も左側の可動役物装置２３と同様に構成されており、これら可動役物装置２３に備えられる左右一対の可動体３６は互いに逆向きに同期して移動するようになっている。ただし、左側の可動体３６と右側の可動体３６は前後方向に若干位置ずれしており、両可動体３６の上端部を装飾ケース２２の上壁裏面側に設けられた図示せぬ規制部材のガイド溝に係合することにより、左右の可動体３６が表示画面２４ａの前方を互いに干渉することなく安定的に傾倒移動できるようになっている。
【００２３】
このように構成された弾球遊技機において、通常、左右一対の可動役物装置２３は非動作状態にあり、図３に示すように、両可動役物装置２３の可動体３６は演出表示装置２４の表示画面２４ａから側方へ退去して装飾ケース２２の左側壁と右側壁の裏面側に隠れている。このとき、左側に配置された可動役物装置２３の可動体３６はガイドシャフト３４の左側端部（Ｘ２方向の末端）で起立しており、図４に示すように、スライド体３５に形成された第１のガイド孔３５ａと可動体３６に形成された第２のガイド孔４０の上側孔部４０ａとはオーバーラップし、回転アーム３８の駆動突起３８ａがこれら第１のガイド孔３５ａと上側孔部４０ａの下部とに係合している。また、回転アーム３８の検知突起３８ｂは検出センサ４１の光路内に位置しており、この検出センサ４１から出力されるイニシャライズ信号に基づいてモータ３７は初期位置で停止している。なお、かかる非動作状態において、右側に配置された可動役物装置２３の可動体３６はガイドシャフトの右側端部で起立しており、左右一対の可動体３６は両者間の対向距離を最大にした退去位置で装飾ケース２２の裏面側に隠れている。
【００２４】
この状態でモータ３７を駆動して回転アーム３８が図４の時計回り方向へ回転し始めると、回転アーム３８の最初の約半回転で駆動突起３８ａが第１のガイド孔３５ａと上側孔部４０ａ内を上下動することにより、回転アーム３８の回転運動がスライド体３５と可動体３６の直線運動に変換され、図５に示すように、可動体３６は起立姿勢を保ったままスライド体３５と一緒にガイドシャフト３４の右側端部（Ｘ１方向の末端）まで平行移動する。その結果、左側の可動体３６が装飾ケース２２の左側壁から開口２２ａ内に出現して表示画面２４ａの前方に露出すると共に、右側の可動体３６も装飾ケース２２の右側壁から開口２２ａ内に出現して表示画面２４ａの前方に露出し、左右一対の可動体３６が両者間の対向距離を最小にした起立姿勢で表示画面２４ａの前方に露出した状態となる。
【００２５】
図５に示す状態から回転アーム３８がさらに時計回り方向へ回転すると、図６に示すように、駆動突起３８ａが第１のガイド孔３５ａの下部開放端から外れるため、スライド体３５はガイドシャフト３４の右側端部（Ｘ２方向の末端）で停止したままとなるが、駆動突起３８ａが第２のガイド孔４０の上側孔部４０ａを経て下側孔部４０ｂ内を移動することにより、可動体３６がスライド体３５の上端部の軸部３９を回動支点として図６の矢印α方向へ傾倒移動（回転）し始める。そして、駆動突起３８ａが下側孔部４０ｂの下部まで移動した時点でモータ３７を駆動停止すると、図７に示すように、左側の可動体３６は表示画面２４ａの前方で時計回り方向へ最大角度（約４５度）まで傾倒して停止する。この間、右側の可動体３６も表示画面２４ａの前方で反時計回り方向へ最大角度まで傾倒して停止するため、図８に示すように、左右一対の可動体３６が表示画面２４ａの前方でＸ状に交叉した傾斜姿勢に保たれる。
【００２６】
図８に示す状態でモータ３７を逆向きに駆動すると、左右一対の可動体３６は表示画面２４ａの前方で上記と逆方向へ傾倒移動して起立姿勢となった後、装飾ケース２２の左右両側壁の退去位置までそれぞれ平行移動して図３に示す初期状態に戻る。具体的には、図７に示す状態から回転アーム３８が反時計回り方向へ回転すると、まず駆動突起３８ａが第２のガイド孔４０の下側孔部４０ｂ内を上側孔部４０ａに向かって移動した後、駆動突起３８ａは再び第１のガイド孔３５ａの下部開放端から内部に入り込み、この間で可動体３６が図７の矢印β方向へ傾倒移動して図５に示す起立姿勢となる。さらに回転アーム３８が反時計回り方向へ約半回転すると、駆動突起３８ａが第１のガイド孔３５ａと第２のガイド孔４０の上側孔部４０ａ内を上下動するため、可動体３６が起立姿勢を保ったままスライド体３５と一緒にガイドシャフト３４の左側端部（Ｘ２方向の末端）まで平行移動して図４に示す初期位置で停止する。その結果、左右一対の可動体３６が表示画面２４ａの前方から互いに逆向きに退去して側方へ移動し、可動体３６は再び両者間の対向距離を最大にした退去位置で装飾ケース２２の裏面側に隠れる。なお、回転アーム３８が図４に示す初期位置まで回転したとき、検出センサ４１の図示せぬ発光素子から受光素子に至る光路が検知突起３８ｂによって遮断されることで、この検出センサ４１からモータ３７を停止させるイニシャライズ信号が出力されるため、回転アーム３８を初期位置に確実に停止させることができる。
【００２７】
以上説明したように本実施形態例に係る弾球遊技機（パチンコ機）では、演出表示装置２４の表示画面２４ａを包囲する装飾ケース２２の側壁裏側に配置された可動役物装置２３が、ガイドシャフト３４に沿ってベース部材３３の左右方向へ移動可能に支持されたスライド体３５と、このスライド体３５の上端側に回転可能に連結された長尺状の可動体３６と、駆動突起３８ａを有する回転アーム３８と、この回転アーム３８を正逆両方向へ回転駆動するモータ３７とを備え、スライド体３５に上下方向へ延びて下端側を開放した第１のガイド孔３５ａが形成されていると共に、可動体３６の下端部にくの字状に屈曲した上側孔部４０ａと下側孔部４０ｂを有する第２のガイド孔４０が形成されているため、回転アーム３８の回転に伴って駆動突起３８ａがオーバーラップ状態にある第１のガイド孔３５ａと上側孔部４０ａ内を移動することにより、可動体３６を起立姿勢のまま表示画面２４ａの前方に平行移動させることができると共に、駆動突起３８ａが第１のガイド孔３５ａから外れて下側孔部４０ｂ内を移動することにより、この可動体３６を表示画面２４ａの前方で起立姿勢から所定角度の傾斜姿勢へと傾倒動作させることができる。したがって、可動体３６の全長を著しく大きくしなくても、可動体３６の上端部を表示画面２４ａの上辺からはみ出した状態で傾倒移動させるというインパクトのある可動演出を行うことができ、しかも、かかる可動体３６の平行移動と傾倒移動が１つのモータ３７を駆動源とする駆動機構によって連続的に行われるため、可動役物装置２３の駆動機構を簡素化してコストの低減化を図ることができる。
【００２８】
また、スライド体３５に形成した第１のガイド孔３５ａの下端側が駆動突起３８ａの回動軌跡に沿って円弧状に湾曲しているため、回転アーム３８の回転に伴って駆動突起３８ａを第１のガイド孔３５ａに対してスムーズに出入させることができ、可動体３６の平行移動と傾倒移動の切り換え動作を円滑に行うことができる。
【００２９】
また、このような可動役物装置２３が演出表示装置２４の表示画面２４ａを挟んだ左右両側にそれぞれ配設されており、これら可動役物装置２３に備えられる左右一対の可動体３６を前後方向へずらして配置したので、一対の可動体３６を表示画面２４ａの左右両側から互いに逆向きに平行移動させた後、これら両可動体３６を表示画面２４ａの前方でＸ状に交叉させるというダイナミックでインパクトのある可動演出を行うことができる。
【００３０】
なお、上記実施形態例では、ベース部材３３に架設したガイドシャフト３４に沿ってスライド体３５を左右方向へ案内しているが、例えば、ベース部材３３とスライド体３５のいずれか一方に設けたガイド突起を他方に設けたガイド溝に凹凸嵌合する等、他のガイド部材を用いることも可能である。
【符号の説明】
【００３１】
３  遊技盤
２０  遊技領域
２１  遊技領域
２１  中央役物ユニット
２２  装飾ケース
２２ａ  開口
２３  可動役物装置
２４  演出表示装置
２４ａ  表示画面
３３  ベース部材
３４  ガイドシャフト（ガイド部材）
３５  スライド体
３５ａ  第１のガイド孔
３６  可動体
３７  モータ
３８  回転アーム（回転体）
３８ａ  駆動突起
３８ｂ  検知突起
３９  軸部
４０  第２のガイド孔
４０ａ  上側孔部
４０ｂ  下側孔部
４１  検出センサ
Ｓ  収納空間
【図１】
0005537384.tif 000002
【図２】
0005537384.tif 000003
【図３】
0005537384.tif 000004
【図４】
0005537384.tif 000005
【図５】
0005537384.tif 000006
【図６】
0005537384.tif 000007
【図７】
0005537384.tif 000008
【図８】
0005537384.tif 000009